(57)【要約】【課題】集塵ホースの動作に対応させて追従性が良好な掃除機本体を構成し、集塵ホースの湾曲による吸塵力の低下を抑制可能な電気掃除機を提案する。【解決手段】電気掃除機１は、可撓性を有する集塵ホース３と、集塵ホース３が接続された掃除機本体３とを備える。掃除機本体２は、被掃除面に配置される基部１７と、基部１７に設けられた俯仰支持部１８と、俯仰支持部１８の俯仰軸ｘ回りに俯仰自在に軸支された本体部１９と、本体部１９に設けられ、俯仰軸ｘに直交する平面に沿ういずれかの方向に中心軸が配置された集塵ホース３の接続管３３と、本体部１９に収容され、集塵ホース３に連通された塵埃分離集塵部２６と、本体部１９に収容され、塵埃分離集塵部２６に連通された電動送風機２７とから構成される。【選択図】  図１
2010125008.tif 000002
【特許請求の範囲】
【請求項１】
可撓性を有する集塵ホースと、
前記集塵ホースが接続された掃除機本体とを備え、
前記掃除機本体は、
被掃除面に配置される基部と、
前記基部に設けられ、俯仰軸を有する俯仰支持部と、
前記俯仰軸回りに俯仰自在に軸支された本体部と、
前記本体部に設けられ、前記俯仰軸に直交する平面に沿ういずれかの方向に中心軸が配置された前記集塵ホースの接続管と、
前記本体部に収容され、前記集塵ホースに連通された塵埃分離集塵部と、
前記本体部に収容され、前記塵埃分離集塵部に連通された電動送風機とから構成されたことを特徴とする電気掃除機。
【請求項２】
前記基部は、少なくとも３つの車輪を備え、
前記車輪は、前記車輪の接地面に垂直に配置された旋回軸回りに旋回自在に設けられ、前記車輪の車軸と、前記旋回軸とは交差しないことを特徴とする請求項１に記載の電気掃除機。
【請求項３】
前記基部は、
前記基部本体と、
前記基部本体の接地面に垂直な軸回りに旋回自在に軸支され、前記俯仰支持部が設けられた旋回台部とを備え、
前記本体部と前記旋回台部とが一体的に旋回可能に構成されたことを特徴とする請求項１または２に記載の電気掃除機。
【請求項４】
前記基部は、前記電動送風機に電力を供給する二次電池が収容され、
前記二次電池は、前記本体部を囲む位置に配置されたことを特徴とする請求項１から３に記載の電気掃除機。
【請求項５】
前記基部本体は、前記電動送風機に電力を供給する電源コードが設けられたことを特徴とする請求項３に記載の電気掃除機。
【請求項６】
前記本体部は、前記基部の接地面に対し、一方に略平行な状態から、他方に略平行な状態まで俯仰自在であるとともに、前記接地面の法線方向に係脱自在に構成されたことを特徴とする請求項１から５に記載の電気掃除機。
【請求項７】
前記本体部は、前記基部の接地面に対し、一方に略平行な状態、および他方に略平行な状態のそれぞれの状態で把持可能な本体把持部を備えたことを特徴とする請求項６に記載の電気掃除機。
【発明の詳細な説明】
【技術分野】
【０００１】
本発明は、集塵ホースの湾曲による吸塵力の低下を抑制可能な電気掃除機に関する。
【背景技術】
【０００２】
従来のキャニスター型の電気掃除機は、負圧を発生させる電動送風機が収容された掃除機本体と、掃除機本体に接続された可撓性の集塵ホースと、集塵ホースに接続された手元操作管とを備える。従来の電気掃除機は、その使用者によって手元操作管が引っ張られると、掃除機本体が走行させられる。
【０００３】
従来の電気掃除機の掃除機本体は、その底面にキャニスターで構成された前輪と、その側面に一対の後輪とを備え、その進行方向前面に集塵ホースが接続された接続口を有する。
【０００４】
また、他の例として、従来の電気掃除機の掃除機本体は、その投影よりも大きい面積を有する一対の車輪を備え、その進行方向前面に集塵ホースが接続された接続口を有する。（例えば、特許文献１参照。）
【特許文献１】特開２００３−１９００５２号公報
【発明の開示】
【発明が解決しようとする課題】
【０００５】
従来の電気掃除機は、掃除機本体の接続口が、その前方方向に固定的に開口されているので、掃除機本体の移動をともなわずに集塵ホースを取り回すと、集塵ホースが湾曲し易い。例えば、床面などの略水平な被掃除面上では、吸込口体の前後動作にあわせて集塵ホースが上下動する。また、壁面などの略垂直な被掃除面上では、集塵ホースが鉛直上向きに向けられる。このような、集塵ホースの動きは、掃除機本体に固定的に設けられた接続口との間で、集塵ホースの湾曲によって吸収される。このとき、集塵ホースの湾曲によって、電気掃除機の吸込み性能が低下する。また、集塵ホースが屈曲によって閉塞されれば、電動送風機には過大な負荷が加えられることにもなる。
【０００６】
また、従来の電気掃除機は、その使用者の掃除動作にともなって、掃除機本体の向きを様々に変更される。しかし、従来の電気掃除機では、集塵ホースを引っ張る方向によっては、掃除機本体が横転したり、裏返ったりする問題があった。
【０００７】
さらに、掃除機本体の向きを急激に変更させることで、掃除機本体の底面に設けられたキャスタと、被掃除面との間で異音が発生し、電気掃除機の使用者に不快感を与える。
【０００８】
他方、特許文献１に記載の電気掃除機は、集塵ホースから掃除機本体に伝えられる引張力に対応させて、掃除機本体を追従させようとするが、集塵ホースが引っ張られることによる被掃除面に沿う掃除機本体の並進運動、集塵ホースの上下動による掃除機本体の俯仰運動、および集塵ホースの左右動による掃除機本体の旋回運動と、集塵ホースの湾曲の抑制とを、本体側面に設けられた一対の車輪と、掃除機本体の重心位置とによって両立させるのは困難である。例えば、集塵ホースを引張り、掃除機本体を旋回させようとすると、一対の車輪のいずれかの接地点を旋回軸としつつ掃除機本体が旋回するため、集塵ホースは過大に湾曲し、電気掃除機の吸込み性能が低下する。
【０００９】
本発明は、集塵ホースの動作に対応させて追従性が良好な掃除機本体を構成し、集塵ホースの湾曲による吸塵力の低下を抑制可能な電気掃除機を提案する。
【課題を解決するための手段】
【００１０】
前記の課題を解決するため本発明は、可撓性を有する集塵ホースと、前記集塵ホースが接続された掃除機本体とを備え、前記掃除機本体は、被掃除面に配置される基部と、前記基部に設けられた俯仰支持部と、前記俯仰支持部の俯仰軸回りに俯仰自在に軸支された本体部と、前記本体部に設けられ、前記俯仰軸に直交する平面に沿ういずれかの方向に中心軸が配置された前記集塵ホースの接続管と、前記本体部に収容され、前記集塵ホースに連通された塵埃分離集塵部と、前記本体部に収容され、前記塵埃分離集塵部に連通された電動送風機とから構成されたことを特徴とする。
【発明の効果】
【００１１】
本発明によれば、集塵ホースの動作に対応させて追従性が良好な掃除機本体を構成し、集塵ホースの湾曲による吸塵力の低下を抑制可能な電気掃除機を提案できる。
【発明を実施するための最良の形態】
【００１２】
本発明に係る電動送風機の実施形態について図１から図６を参照して説明する。
【００１３】
図１は、本発明の実施形態に係る電気掃除機の外観を示した斜視図である。
【００１４】
図２は、本発明の実施形態に係る電気掃除機の掃除機本体の正面図である。
【００１５】
図３は、本発明の実施形態に係る電気掃除機の掃除機本体の平面図である。
【００１６】
図４は、本発明の実施形態に係る電気掃除機の掃除機本体の側面図である。
【００１７】
図１から図４に示すように、本実施形態に係る電気掃除機１は、掃除機本体２と、集塵ホース３と、手元操作管４と、把持部５と、操作部６と、延長管７と、吸込口体８とを備える。
【００１８】
掃除機本体２は接続口２ａを有する。接続口２ａには、集塵ホース３の一端が着脱自在に接続される。
【００１９】
掃除機本体２は、被掃除面Ｆに配置される基部１７と、基部１７に設けられた俯仰支持部１８と、俯仰支持部１８の俯仰軸ｘ回りに俯仰（図１および図４中、実線矢Ｒｘ方向）自在に軸支された本体部１９とを備える。
【００２０】
基部１７は、被掃除面Ｆに配置される基部本体２１と、基部本体２１に旋回自在に軸支された旋回台部２２とを備える。基部本体２１には、旋回台部２２が、旋回軸ｚ回りに旋回（図１および図３中、実線矢Ｒｚ方向）自在に軸支される。旋回軸ｚは、掃除機本体２を接地面に配置すると、接地面の法線方向に配置される。具体的には、旋回軸ｚは、掃除機本体２を略水平な床などの被掃除面Ｆに配置すると、略鉛直になる。旋回台部２２には、俯仰支持部１８が設けられる。基部１７には、本体部１９に電力を供給する二次電池２３が収容される。二次電池２３は、本体部１９を囲む位置に配置される。なお、二次電池２３は、本体部１９の全周を囲むように配置しても良く、俯仰支持部１８近傍の本体部１９の側方のみを囲むように配置しても良い。また、二次電池２３は、基部本体２１、および旋回台部２２のいずれに収容させても良い。
【００２１】
基部本体２１の底面には、少なくとも３つのキャスタ２４（車輪）が設けられる。掃除機本体２を略水平な被掃除面Ｆに配置させると、掃除機本体２の重心の被掃除面Ｆに対する正投影位置は、それぞれのキャスタ２４を頂点とする多角形、例えば、キャスタ２４が３つの場合には三角形の内側に位置される。具体的には、キャスタ２４は、基部本体２１底面の外周縁近傍に配置される。したがって、掃除機本体２は、キャスタ２４によって被掃除面Ｆ上で、安定した旋回動作、走行動作が可能となる。
【００２２】
俯仰支持部１８には、本体部１９が、俯仰軸ｘ回りに俯仰自在に軸支される。俯仰軸ｘは、掃除機本体２を略水平な床などの被掃除面Ｆに配置すると、被掃除面Ｆに対して略平行になる。
【００２３】
本体部１９は、俯仰支持部１８によって、基部１７の接地面である被掃除面Ｆに対し、一方に略平行な状態から、他方に略平行な状態まで俯仰自在であるとともに、旋回台部２２によって、被清掃面の法線回りに３６０°旋回自在に保持される。本体部１９と、旋回台部２２とは、基部本体２１に一体的に旋回自在に保持される。本体部１９には、塵埃分離集塵部２６と、電動送風機２７とが収容される。また、掃除機本体２には、本体ハンドル２８（本体把持部）と、電動送風機２７の排気が吐出される本体排気口（図示省略）とが形成される。
【００２４】
本体部１９は、接続口２ａを有する。本体部１９は、接続口２ａに集塵ホース３が接続され、掃除機本体２が取り回されると、俯仰支持部１８によって、基部１７の接地面である被掃除面Ｆに対し、適宜に俯仰することで集塵ホース３の湾曲を抑制できる。具体的には、図４に示すように、本体部１９は、集塵ホース３の取り回しに追従して適宜に俯仰し、例えば、集塵ホース３が被掃除面に略水平の一方向に引っ張られると、接続口２ａを略水平方向に向けて追従する（図４中、実線矢Ａ）。また、本体部１９は、集塵ホース３が被掃除面に略垂直に引っ張られると、接続口２ａを略上方向に向けて追従する（図４中、実線矢Ｂ）。さらに、本体部１９は、集塵ホース３が被掃除面に略水平の他方向に引っ張られると、接続口２ａを略水平方向に向けて追従する（図４中、実線矢Ｃ）。さらにまた、本体部１９は、俯仰可能な範囲で、集塵ホース３の取り回しに追従して適宜に接続口２ａの方向を変更させる。これによって、電気掃除機１は、集塵ホース３の取り回しにともなう湾曲が抑制され、集塵ホース３の湾曲による吸込み性能の低下を抑制できる。
【００２５】
俯仰支持部１８に係止爪３０ａが形成され、本体部１９に係止凹部３０ｂが形成される。係止爪３０ａと、係止凹部３０ｂとは、相互に係脱自在に設けられ、本体部１９を所定の俯角、または仰角で仮止め可能なクリック機構３０を構成する。クリック機構３０は、係止爪３０ａと係止凹部３０ｂとが係止されると、俯仰支持部１８によって俯仰自在に支持された本体部１９を、適宜の俯仰位置で保持する。具体的には、クリック機構３０は、掃除機本体２を略水平な床などの被掃除面Ｆに配置すると、本体部１９の接続口２ａが鉛直上向きに仮止めされるように構成できる。
【００２６】
集塵ホース３は、可撓性を有し、湾曲自在な細長略円筒状に形成される。集塵ホース３の一端は、接続口２ａに着脱自在に接続される。集塵ホース３は、掃除機本体２の内部に連通される。
【００２７】
手元操作管４の一端は、集塵ホース３の他端に設けられる。手元操作管４は、集塵ホース３を介して掃除機本体２の内部に連通される。
【００２８】
把持部５は、電気掃除機１の使用者が把持して電気掃除機１を操作するものである。把持部５は、手元操作管４の他端部に突設され、集塵ホース３が設けられた手元操作管４の一端部に向けて湾曲させて形成される。
【００２９】
操作部６は、把持部５に設けられる。電気掃除機１の使用者は、操作部６を操作して電気掃除機１を複数の駆動モードに設定できる。操作部６は、電気掃除機１の運転を停止させる切スイッチ６ａや、電気掃除機１の運転を開始させる起動スイッチ６ｂを有する。
【００３０】
延長管７は、伸縮可能な細長略円筒状に形成される。延長管７は、複数の筒状体を重ね合わせてテレスコピック構造に構成される。延長管７の一端は、手元操作管４の他端に着脱自在に接続される。延長管７は、手元操作管４、および集塵ホース３を介して掃除機本体２の内部に連通される。
【００３１】
吸込口体８は、延長管７の一端に着脱自在に接続される。吸込口体８は、延長管７、手元操作管４、および集塵ホース３を介して掃除機本体２の内部に連通される。吸込口体８は、吸込口（図示省略）を有する。吸込口は、床面などの被掃除面Ｆに吸込口体８を配置すると、被掃除面Ｆに対向される。
【００３２】
電気掃除機１を運転すると、電動送風機２７が作動して、掃除機本体２の内に負圧が作用する。この負圧は接続口２ａから集塵ホース３と手元操作管４と延長管７とを経て吸込口体８に作用する。そうすると、電気掃除機１は吸込口体８の吸込口から空気とともに被掃除面Ｆに溜まった塵埃を吸い込んで被掃除面Ｆを掃除する。吸込口体８に吸い込まれた含塵空気は、掃除機本体２に収容された塵埃分離集塵部によって空気と塵埃とに分離される。分離された塵埃は塵埃分離集塵部に集塵される。他方、分離された空気は、電動送風機２７に吸い込まれて、掃除機本体２の本体排気口から吐出される。
【００３３】
図５は、本発明の実施形態に係る電気掃除機の掃除機本体を示した断面図である。
【００３４】
図５に示すように、電気掃除機１の掃除機本体２は、基部１７と、俯仰支持部１８と、本体部１９とを備える。
【００３５】
基部１７は、基部本体２１と、旋回台部２２とを備える。
【００３６】
基部本体２１のキャスタ２４は、基部本体２１の底面に設けられたキャスタ軸３２に、旋回自在に軸支される。キャスタ軸３２の旋回軸Ｒｃは、キャスタ２４の車軸２４ａに交差することなく、相互にねじれの位置にある。それぞれのキャスタ軸３２は、相互に平行に構成される。また、それぞれのキャスタ軸３２の旋回軸Ｒｃは、基部１７が略水平な床などの被掃除面Ｆに配置されると、被掃除面Ｆに略垂直になる。
【００３７】
本体部１９は、掃除機本体２の接続口２ａを有する接続管３３と、接続管３３に連通された塵埃分離集塵部２６と、塵埃分離集塵部２６に連通された電動送風機２７とを備える。
【００３８】
接続管３３の開口端は、掃除機本体２の接続口２ａである。接続管３３は、俯仰軸ｘに直交する平面（例えば、図５の断面）に沿ういずれかの方向に中心軸ｃが配置される。さらに、具体的には、接続管３３は、その中心軸ｃが俯仰軸ｘに直交する面に沿い、かつ、接続口２ａが俯仰軸ｘから遠ざかる方向へ開口され、さらに、俯仰軸ｘから最も遠い位置に配置される。
【００３９】
また、本体部１９は、俯仰軸ｘに対して軸対象に配置された本体ハンドル２８ａ、２８ｂを備える。本体ハンドル２８ａ、２８ｂは、本体部１９が、基部１７の接地面である被掃除面Ｆに対して、一方に略平行な状態、および他方に略平行な状態のそれぞれの状態において把持可能に設けられる。掃除機本体２は、本体ハンドル２８ａ、２８ｂによって、本体部１９がいずれの方向に俯仰されていても運搬できる。本体ハンドル２８ａ、２８ｂによって、掃除機本体２の可搬性が向上される。
【００４０】
次に、本実施形態に係る電気掃除機１の掃除動作を説明する。
【００４１】
電気掃除機１の使用者は、先ず、掃除機本体２の接続口２ａに集塵ホース３を接続する。次に、手元操作管４に延長管７を接続する。次に、延長管７に吸込口体８を接続する。
【００４２】
次に、電気掃除機１の使用者は、吸込口体８を床面などの被掃除面Ｆ上に配置するとともに、把持部５を把持して起動スイッチ６ｂを操作する。そうすると、起動スイッチ６ｂで設定された動作モードに応じて電動送風機２７が作動する。
【００４３】
次いで、電気掃除機１の使用者は、把持部５を操作して、吸込口体８を走行する。
【００４４】
このとき、例えば、電気掃除機１の使用者が、把持部５を前後に繰り返し操作して被掃除面Ｆを清掃すると、手元操作管４、延長管７、および吸込口体８は、前後に往復運動する。これとともに、掃除機本体２の本体部１９は、集塵ホース３の湾曲に追従して俯仰支持部１８の俯仰軸ｘ回りに俯仰運動される。電気掃除機１の使用者が、把持部５を上下に繰り返し操作して壁などの被掃除面Ｆを掃除する場合にも、同様である。また、電気掃除機１の使用者が、急激に進行方向を変更して把持部５を引張ると、掃除機本体２は、旋回台部２２、またはキャスタ２４によって集塵ホース３の湾曲に追従して旋回運動する。さらに、電気掃除機１の使用者が、被掃除場所を移動して把持部５を引張ると、掃除機本体２は、俯仰支持部１８、旋回台部２２、およびキャスタ２４によって、集塵ホース３の湾曲に追従して俯仰運動、および旋回運動されるとともに、被掃除面Ｆ上を走行する。
【００４５】
したがって、掃除機本体２は、俯仰支持部１８、旋回台部２２、およびキャスタ２４によって、電気掃除機１の使用者による操作にともなう集塵ホース３の湾曲に本体部１９の運動を追従させることで、この集塵ホース３の湾曲を抑制させる。また、掃除機本体２は、集塵ホース３から伝達される引張力の作用する方向に、本体部１９の接続口２ａを向けることができる。集塵ホース３の湾曲が抑制されることで、集塵ホース３の湾曲にともなう電気掃除機１の吸込み性能の低下も抑制される。
【００４６】
一方、被掃除面Ｆ上の塵埃は、空気とともに吸込口体８の吸込口に吸い込まれる。吸込口体８に吸い込まれた含塵空気は、延長管７と手元操作管４と集塵ホース３とを順次に通過した後、掃除機本体２の接続口２ａを経て、掃除機本体２の内部に吸い込まれる。
【００４７】
掃除機本体２の内部に吸い込まれた含塵空気は、塵埃分離集塵部２６に案内される。ここで、含塵空気は、塵埃分離集塵部２６によって空気と、塵埃とに分離される。分離された塵埃は、塵埃分離集塵部２６によって捕集される。他方、分離された空気は、電動送風機２７に吸気され、また、電動送風機２７を冷却しつつ排気され、さらに、本体排気口から掃除機本体２の外部に排気される。
【００４８】
図６は、本発明の実施形態に係る電気掃除機の掃除機本体を示した他の例の断面図である。
【００４９】
図６に示すように、電気掃除機１の掃除機本体２Ａは、基部１７Ａと、俯仰支持部１８と、本体部１９とを備える。
【００５０】
基部１７Ａは、基部本体２１Ａと、旋回台部２２とを備える。
【００５１】
基部本体２１Ａには、コードリール３５が収容される。コードリール３５の回転軸は、旋回台部２２の回転軸芯に一致させて配置される。コードリール３５には、電源コード３６が巻回される。電源コード３６は、本体部１９の電動送風機２７に電力を供給する。電源コード３６の自由端部には、電源プラグ３７が形成される。
【００５２】
このように構成された掃除機本体２Ａは、電源コード３６が設けられた基部本体２１Ａの状態にかかわらず、本体部１９の俯仰運動、および旋回運動によって、電源コード３６が掃除機本体２Ａに絡み付き、巻回されることがない。
【００５３】
このように構成された電気掃除機１によれば、俯仰支持部１８、旋回台部２２、およびキャスタ２４によって、電気掃除機１の使用者による操作にともなう集塵ホース３の動きに本体部１９の運動を追従させることで、集塵ホース３の湾曲を抑制できる。これによって、電気掃除機１は、集塵ホース３の湾曲による吸込み性能の低下を抑制できる。また、電気掃除機１は、集塵ホース３の屈曲を避けることもできる。
【００５４】
また、電気掃除機１によれば、俯仰支持部１８、旋回台部２２、およびキャスタ２４によって、電気掃除機１の使用者による操作にともなう集塵ホース３の動きに本体部１９の運動を追従させることで、集塵ホース３から伝達される引張力の作用する方向に、本体部１９を向けることができる。これによって、掃除機本体２は、安定した姿勢を保ちつつ集塵ホース３から伝達される引張力を受けるので、横転したり、裏返ったりすることなく、滑らかな並進移動、旋回運動、および俯仰運動ができる。したがって、掃除機本体２の向きを急激に変更させても、掃除機本体２と、被掃除面Ｆとの間で異音することがなく、電気掃除機１の使用者に不快感を与えない。
【００５５】
さらに、電気掃除機１によれば、並進移動は、キャスタ２４によって、また、旋回運動はキャスタ２４、および旋回台部２２によって、さらに、俯仰運動は俯仰支持部１８によって、それぞれ独立に行われるので、集塵ホース３の湾曲に対応させた掃除機本体２の旋回、および俯仰と、集塵ホース３が引っ張られることによる掃除機本体２の並進とが、極めて軽快に操作できる。
【００５６】
さらにまた、電気掃除機１によれば、基部１７に二次電池２３を収容したことで、本体部１９の重量を極力軽くできるので、俯仰運動の軽快性を損なうことがない。
【００５７】
また、電気掃除機１によれば、基部本体２１Ａに電源コード３６、およびコードリール３５を収容したことで、旋回台部２２や、本体部１９の旋回運動に際し、掃除機本体２に電源コード３６が巻回し、絡み付くことがない。
【００５８】
さらに、電気掃除機１によれば、本体部１９に本体ハンドル２８ａ、２８ｂが設けられるので、本体部１９の可搬性が十分に確保できる。
【００５９】
本実施形態に係る電気掃除機１によれば、集塵ホース３の動作に対応させて追従性が良好な掃除機本体２を構成し、集塵ホース３の湾曲による吸塵力の低下を抑制できる。
【図面の簡単な説明】
【００６０】
【図１】本発明の実施形態に係る電気掃除機の外観を示した斜視図。
【図２】本発明の実施形態に係る電気掃除機の掃除機本体の正面図。
【図３】本発明の実施形態に係る電気掃除機の掃除機本体の平面図。
【図４】本発明の実施形態に係る電気掃除機の掃除機本体の側面図。
【図５】本発明の実施形態に係る電気掃除機の掃除機本体を示した断面図。
【図６】本発明の実施形態に係る電気掃除機の掃除機本体を示した他の例の断面図。
【符号の説明】
【００６１】
１  電気掃除機
２、２Ａ  掃除機本体
２ａ  接続口
３  集塵ホース
４  手元操作管
５  把持部
６  操作部
６ａ  切スイッチ
６ｂ  起動スイッチ
７  延長管
８  吸込口体
１７、１７Ａ  基部
１８  俯仰支持部
１９  本体部
２１、２１Ａ  基部本体
２２  旋回台部
２３  二次電池
２４  キャスタ
２４ａ  車軸
２６  塵埃分離集塵部
２７  電動送風機
２８  本体ハンドル
３０  クリック機構
３０ａ  係止爪
３０ｂ  係止凹部
３２  キャスタ軸
３３  接続管
３５  コードリール
３６  電源コード
３７  電源プラグ
【図１】
2010125008.tif 000003
【図２】
2010125008.tif 000004
【図３】
2010125008.tif 000005
【図４】
2010125008.tif 000006
【図５】
2010125008.tif 000007
【図６】
2010125008.tif 000008